(57)【要約】  自然の花または群葉の１つまたは複数の断片の１つまたは複数の面をデジタル的にスキャンし、かつ、それらのスキャンされたイメージを、媒体のそれぞれの１つまたは複数の面上に直接にプリントすることで、自然の花または群葉の装飾的な表現を作り出す方法。次に、これらのプリントされた断片を、上記媒体から切り抜いて、成形して自然の花または群葉の外形を作り出し、さらに、これらの断片を組み合わせて、自然の花または群葉の装飾的な表現を作り出す。
2010503554.tif 000002
【特許請求の範囲】
【請求項１】
自然の対象物のリアルな表現を媒体上に作り出すダイレクト・プリント法であって、
自然の対象物を選択するステップと、
媒体を選択するステップと、
前記自然の対象物をスキャンして、その二次元デジタル・イメージを作り出すステップと、
イメージ印刷装置を用いて、前記二次元デジタル・イメージを前記媒体上に直接にプリントすることで、前記二次元デジタル・イメージを前記媒体に転写するステップと、
を含むダイレクト・プリント法。
【請求項２】
自然の群葉のリアルな表現を媒体上に作り出す方法であって、
自然の群葉の１つまたは複数の断片を選択するステップと、
媒体を選択するステップと、
前記自然の群葉の１つまたは複数の断片の上面をスキャンして、その二次元デジタル・イメージを作り出すステップと、
前記自然の群葉の１つまたは複数の断片の下面をスキャンして、その二次元デジタル・イメージを作り出すステップと、
画像処理ソフトウェアを用いて前記上面と前記下面のイメージ・スキャンを調整して、前記イメージ・スキャンのサイズ、形状、カラーバランス、色調、向きを修正することで、前記媒体のそれぞれの上面と下面上で、前記イメージ・スキャンを正確に整合できるようにするステップと、
イメージ印刷装置を用いて、前記媒体のそれぞれの上面と下面上に、それぞれの上面のイメージと下面のイメージを直接にプリントすることで、前記媒体に、前記調整されたイメージ・スキャンを転写するステップと、
を含む方法。
【請求項３】
前記イメージ印刷装置がフラットベッド・デジタルプリンタである請求項２に記載の方法。
【請求項４】
自然の群葉のリアルな表現を媒体上に作り出す方法であって、
自然の群葉の１つまたは複数の断片を選択するステップと、
媒体を選択するステップと、
前記自然の群葉の１つまたは複数の断片をスキャンして、その二次元デジタル・イメージを作り出すステップと、
画像処理ソフトウェアを用いて前記イメージ・スキャンを調整して、前記イメージ・スキャンのサイズ、形状、カラーバランス、色調、向きを修正するステップと、
イメージ印刷装置を用いて、前記媒体上に前記調整されたイメージ・スキャンを直接にプリントすることで、前記媒体に、前記調整されたイメージ・スキャンを転写するステップと、
を含む方法。
【請求項５】
前記イメージ印刷装置がフラットベッド・デジタルプリンタである請求項４に記載の方法。
【請求項６】
前記媒体が、有機の素材から成っている請求項１に記載の方法。
【請求項７】
前記媒体が、有機の素材から成っている請求項２に記載の方法。
【請求項８】
前記媒体が、有機の素材から成っている請求項４に記載の方法。
【請求項９】
前記媒体が、非有機の素材から成っている請求項１に記載の方法。
【請求項１０】
前記媒体が、非有機の素材から成っている請求項２に記載の方法。
【請求項１１】
前記媒体が、非有機の素材から成っている請求項４に記載の方法。
【請求項１２】
前記媒体が、天然繊維、合成繊維、紙、合成樹脂、木、金属、セラミック、ガラスから成るグループから選択される請求項１に記載の方法。
【請求項１３】
前記媒体が、天然繊維、合成繊維、紙、合成樹脂、木、金属、セラミック、ガラスから成るグループから選択される請求項２に記載の方法。
【請求項１４】
前記媒体が、天然繊維、合成繊維、紙、合成樹脂、木、金属、セラミック、ガラスから成るグループから選択される請求項４に記載の方法。
【請求項１５】
前記スキャンするステップが、二次元カラースキャナを用いて実行される請求項１に記載の方法。
【請求項１６】
前記スキャンするステップが、三次元カラースキャナを用いて実行される請求項１に記載の方法。
【請求項１７】
前記スキャンするステップが、二次元カラースキャナを用いて実行される請求項２に記載の方法。
【請求項１８】
前記スキャンするステップが、三次元カラースキャナを用いて実行される請求項２に記載の方法。
【請求項１９】
前記スキャンするステップが、二次元カラースキャナを用いて実行される請求項４に記載の方法。
【請求項２０】
前記スキャンするステップが、三次元カラースキャナを用いて実行される請求項４に記載の方法。
【請求項２１】
自然の群葉のリアルな表現を作る方法であって、
自然の群葉の１つまたは複数の断片を選択するステップと、
媒体を選択するステップと、
前記自然の群葉の１つまたは複数の断片の上面をスキャンして、その二次元デジタル・イメージを作り出すステップと、
前記自然の群葉の１つまたは複数の断片の下面をスキャンして、その二次元デジタル・イメージを作り出すステップと、
画像処理ソフトウェアを用いて前記上面と前記下面のイメージ・スキャンを調整して、前記イメージ・スキャンのサイズ、形状、カラーバランス、色調、向きを修正することで、前記媒体のそれぞれの上面と下面上で、前記イメージ・スキャンを正確に整合できるようにするステップと、
イメージ印刷装置を用いて、前記媒体のそれぞれの上面と下面上に、それぞれの上面のイメージと下面のイメージを直接にプリントすることで、前記媒体に、前記調整されたイメージ・スキャンを転写するステップと、
転写されたイメージ断片を前記媒体から切り抜くステップと、
前記切り取られた断片を成形して、自然の群葉外形を与えるステップと、
前記切り取られた断片に支持構造物を取り付けるステップと、
前記切り取られた断片を組み合わせて、群葉を作り上げるステップと、
を含む方法。
【請求項２２】
前記媒体が、有機の素材から成っている請求項２１に記載の方法。
【請求項２３】
前記媒体が、非有機の素材から成っている請求項２１に記載の方法。
【請求項２４】
前記媒体が、天然繊維、合成繊維、紙、合成樹脂、木、金属、セラミック、ガラスから成るグループから選択される請求項２１に記載の方法。
【請求項２５】
前記スキャンするステップが、二次元カラースキャナを用いて実行される請求項２１に記載の方法。
【請求項２６】
前記スキャンするステップが、三次元カラースキャナを用いて実行される請求項２１に記載の方法。
【請求項２７】
前記イメージ印刷装置がフラットベッド・デジタルプリンタである請求項２１に記載の方法。
【請求項２８】
自然の群葉のリアルな表現を媒体上に作り出す方法であって、
自然の群葉の１つまたは複数の断片を選択するステップと、
媒体を選択するステップと、
前記自然の群葉の１つまたは複数の断片をスキャンして、その二次元デジタル・イメージを作り出すステップと、
画像処理ソフトウェアを用いて前記イメージ・スキャンを調整して、前記イメージ・スキャンのサイズ、形状、カラーバランス、色調、向きを修正するステップと、
イメージ印刷装置を用いて、前記媒体上に前記調整されたイメージ・スキャンを直接にプリントすることで、前記媒体に、前記調整されたイメージ・スキャンを転写するステップと、
転写されたイメージ断片を前記媒体から切り抜くステップと、
前記切り取られた断片を成形して、自然の群葉外形を与えるステップと、
前記切り取られた断片に支持構造物を取り付けるステップと、
前記切り取られた断片を組み合わせて、群葉を作り上げるステップと、
を含む方法。
【請求項２９】
前記媒体が、有機の素材から成っている請求項２８に記載の方法。
【請求項３０】
前記媒体が、非有機の素材から成っている請求項２８に記載の方法。
【請求項３１】
前記媒体が、天然繊維、合成繊維、紙、合成樹脂、木、金属、セラミック、ガラスから成るグループから選択される請求項２８に記載の方法。
【請求項３２】
前記スキャンするステップが、二次元カラースキャナを用いて実行される請求項２８に記載の方法。
【請求項３３】
前記スキャンするステップが、三次元カラースキャナを用いて実行される請求項２８に記載の方法。
【請求項３４】
前記イメージ印刷装置がフラットベッド・デジタルプリンタである請求項２８に記載の方法。
【発明の詳細な説明】
【技術分野】
【０００１】
本発明は、自然の葉、花、枝の装飾的な表現を製作するユニークな方法に関する。
【背景技術】
【０００２】
人工の群葉は、伝統的に、シルクスクリーン印刷法または熱転写印刷法を利用して、花の花弁または葉の二次元イメージを布、紙、または他の素材の上に転写して、製作されている。このイメージは、手で描かれることがあるか、あるいは、デジタル・イメージの形式で生み出されることもある。
【０００３】
人工の群葉を作り出すために、同一のイメージを、上記媒体上の複数の場所に転写するが、また、それぞれの場所に異なる色を加えるために、上記シルクスクリーン印刷法を数回繰り返すことがある。
【０００４】
次に、転写されたイメージを、この媒体から切り抜き、その部分に、アクセント用の色とラインを手で描くことが多い。
【０００５】
花弁または葉などの群葉にリアルな形状を与えるために、それらの切り取られたイメージを押型に入れ、かつ加熱して、三次元の外形を形成する。
【０００６】
この方法は、引き続き、合成樹脂の葉脈または支持ワイヤを、この花弁または葉の裏側に加え、また、その結果得られた部分を組み合わせて、花または群葉を形成する。
【０００７】
この花または群葉に様々なコーティングも加えて、自然の質感を作り出し、芳香を与え、さらに、その最終製品を保存することがある。
【０００８】
上記のシルクスクリーン印刷法または熱転写印刷法を利用して自然の群葉のリアルな表現を作り出す方法には、いくつか限界がある。
【０００９】
シルクスクリーン印刷法では、例えば、葉の上面のイメージを、素材の上面に転写する。この転写されたイメージを素材から切り抜くと、葉の上面と下面は、構成の点で本質的に同一である。しかしながら、自然の葉の上面と下面は、同一の構成とはなっていない。
【００１０】
さらに、シルクスクリーン印刷処理の間に素材の上面に塗られた色が、その素材の下面まで滲み出る傾向があり、それにより、下面の色が、自然の葉の下面の色を表さなくなる。さらに、シルクスクリーン印刷法において異なる色に用いられる複数のテンプレートは揃わなくなることがあり、この素材の色濃度に、人工的なむらを生じさせることがよくある。
【００１１】
代表的な熱転写印刷法では、初めに葉の上面の４色イメージを感熱フィルムに転写し、次に、その感熱フィルムを素材の上面に載せ、かつ加熱して、そのイメージを素材に転写する。同様に、この葉の下面のイメージを、素材の上面上の別の場所に転写することもある。次に、上面および下面のイメージ断片を、その素材から切り抜いて、互いに張り合わせる。したがって、これは、２層の素材を取って葉または花弁を作り出すことから、自然の葉の人工的な表現がもたらされることになる。
【００１２】
よって、伝統的なシルクスクリーン印刷法または熱転写印刷法を利用して、構成と色の両方において、自然の葉または花弁を表現することは非常に困難である。
【００１３】
本発明の方法は、造化の製造に用いられる伝統的な方法から実質的に離れて、媒体上に自然の花または群葉のリアルな表現を作り出すユニークなダイレクト・プリント法を提供するものである。
【発明の開示】
【課題を解決するための手段】
【００１４】
本発明の目的は、自然の葉、花、または枝の１つまたは複数の面をデジタル的にスキャンし、かつ、そのスキャンされたデジタル・イメージを媒体上に直接にプリントすることで、布、紙、または他の素材などの媒体上に、自然の花または群葉のリアルな表現を作り出すことである。
【００１５】
本発明の他の目的は、自然の葉、花、または枝の上面および下面をデジタル的にスキャンして、それぞれのデジタル・イメージを、その媒体の上面および下面上に直接にプリントすることで、布、紙、または他の素材などの媒体上に、自然の花または群葉のリアルな表現を作り出すことである。
【００１６】
本発明の他の目的は、自然の花または群葉の１つまたは複数の断片の１つまたは複数の面のスキャンされたデジタル・イメージを媒体上に直接にプリントし、これらのプリントされた断片を切り取って、成形して自然の外形を与え、さらに、これらの断片を組み合わせて、花または群葉を形成することで、自然の花または群葉のリアルな表現を作り出すことである。
【００１７】
本発明の他の目的は、自然の花または群葉の１つまたは複数の断片の上面および下面のスキャンされたデジタル・イメージを、媒体のそれぞれの上面と下面上に直接にプリントし、これらのプリントされた断片を切り取って、成形して自然の外形を与え、さらに、これらの断片を組み合わせて、花または群葉を形成することで、自然の花または群葉のリアルな表現を作り出すことである。
【００１８】
本発明の他の目的は、自然の対象物の１つまたは複数の面をデジタル的にスキャンして、それらのスキャンされたデジタル・イメージを媒体上に直接にプリントすることで、布、紙、または他の素材などの媒体上に、その対象物のリアルな表現を作り出すことである。
【００１９】
本発明の上記および他の目的は、本明細書中の詳細な説明と添付図面から明らかになろう。
【発明を実施するための最良の形態】
【００２０】
図１を参照すると、人工の花または群葉を作る従来技術の方法は、ステップ１２に示されるように、最初に花の花弁または群葉のイメージを描くことで、開始する。そのようなイメージは、手で、紙または他の素材上に描かれることがあるか、あるいは、コンピュータ描画プログラムを用いて、描かれることもある。
【００２１】
次に、ステップ１３またはステップ１４に示されるように、この生み出されたイメージを、周知のシルクスクリーン印刷法または熱転写印刷法を用いて、布、紙、または他の素材などの媒体に転写する。
【００２２】
実際には、その転写されたイメージ上の選択された場所に異なる色を付けるために、このシルクスクリーン印刷法を数回、繰り返すことがある。また、花または群葉を作り出すために、同一のイメージを複数回、使用することもある。
【００２３】
次に、ステップ１５またはステップ１６に示されるように、シルクスクリーン印刷イメージまたは熱転写イメージを、その媒体から切り抜く。
【００２４】
熱転写イメージでは、ステップ２２に示されるように、この切り取られたイメージを、押型に入れて、その素材を加熱加圧成形することで、リアルな三次元の形状を花弁または葉に与える。
【００２５】
シルクスクリーン印刷イメージでは、ステップ１８に示されるように、１つまたは複数の染料の色を、その切り取られたイメージに加え、また、ステップ２２に示される通りに素材を加熱加圧成形する前に、ステップ２０に示されるように、このイメージの選択された部分上に、ペイントで細部のラインを描く。
【００２６】
ステップ２４に示されるように、支持ワイヤおよび／または合成樹脂の葉脈を加え、また、ステップ２６に示されるように、質感を与えるコーティングを塗布して、それぞれの花弁または葉をさらにリアルにする。次に、ステップ２８に示されるように、その結果得られた断片を組み合わせて、花または群葉を作り出す。
【００２７】
図２を参照すると、媒体上に自然の群葉のリアルな表現を作り出す本発明の好ましい方法は、ステップ４２に示されるように、自然の群葉を選択し、かつ、ステップ４４とステップ４６に示されるように、当技術分野においてよく知られているカラースキャナを用いて、自然の群葉の１つまたは複数の断片の１つまたは複数の面をデジタル的にスキャンすることで、開始する。
【００２８】
自然の葉または花弁の上面と下面は同一ではなく、また、自然の群葉のさらにリアルな表現を与えるために、本発明の方法の重要な特徴は、この群葉の上面と下面の別々のイメージ・スキャンを実現することである。
【００２９】
本発明のスキャニング方法は、複数のスクリーンを用いる従来のシルクスクリーン印刷法で可能である以上に正確な色濃度を実現する。さらに、シルクスクリーン印刷処理の間に素材の上面に塗られた色が、その素材の下面まで滲み出る傾向があり、それにより、下面の色が、自然の葉の下面の色を表さなくなる。本発明の方法は、上面と下面の別々のカラー・スキャンを実現することで、リアルな表面色を生み出す。
【００３０】
この方法は、引き続きステップ４８に進んで、周知の画像処理コンピュータ・ソフトウェア・プログラムを利用して、この群葉のそれぞれの断片の上面と下面のイメージ・スキャンを調整して、媒体の上面および下面上で、それぞれのイメージを正確に整合できるようにし、また、これらのイメージのサイズ、形状、カラーバランス、色調、向きを修正する。したがって、本発明の方法は、それぞれの花または花弁をそれぞれ独特なものにすることを可能にする。従来のシルクスクリーン印刷法または熱転写印刷法では、それぞれの花または花弁は全く同じものである。
【００３１】
次に、ステップ５０とステップ５２に示されるように、フラットベッド・デジタルプリンタなどのイメージ印刷装置を用いて、天然繊維、合成繊維、紙、合成樹脂、木、金属、セラミック、ガラスなどのような有機または非有機の素材でできている媒体の上面と下面上にそれぞれ、上面のイメージと下面のイメージを直接にプリントすることで、その媒体にイメージを転写する。
【００３２】
図２に示されるように、群葉の上面と下面をスキャンしてプリントするが、本発明の精神を損なわない限り、この群葉のただ１つの面（例えば、その上面）を使用することもできる。
【００３３】
本発明の方法は、自然の群葉のリアルな表現を媒体上に作り出すのに役立つが、この方法は、他の自然の対象物のリアルな表現を作り出すのにも利用されることがある。
【００３４】
図３を参照すると、人工の群葉を作る本発明の方法は、ステップ５３に示されるように自然の群葉を選択し、かつ、ステップ５４とステップ５６に示されるように、カラー・スキャニング法を用いて、この群葉の１つまたは複数の断片の上面および下面をデジタル的にスキャンすることで、開始する。
【００３５】
この方法は、引き続きステップ５８に進んで、周知の画像処理コンピュータ・ソフトウェア・プログラムを利用して、この群葉のそれぞれの断片の上面と下面のイメージ・スキャンを調整して、媒体の上面および下面上で、それぞれのイメージを正確に整合できるようにし、また、これらのイメージのサイズ、形状、カラーバランス、色調、向きを修正する。次に、ステップ６０とステップ６２に示されるように、フラットベッド・デジタルプリンタなどのイメージ印刷装置を用いて、それぞれの媒体の上面と下面上に、それぞれの上面のイメージと下面のイメージを直接にプリントして、媒体にスキャンされたイメージを転写する。
【００３６】
この媒体は、天然繊維、合成繊維、紙、合成樹脂、木、金属、セラミック、ガラスなどのような有機または非有機の素材でできていることがある。
【００３７】
次に、ステップ６４に示されるように、これらの転写されたイメージを、この媒体から切り抜く。正確を期して、当技術分野においてよく知られているコンピュータ制御式のレーザ切断機が使用されることがある。
【００３８】
花弁または群葉のそれぞれの断片に対して自然の外形を与えるために、この方法は、引き続きステップ６６に示されるように、この花弁または群葉の実際の形状を表す押型を作って、その切り取られた素材を、その押型の中で加熱加圧成形する。
【００３９】
ステップ６８において、ワイヤまたは葉脈の要素を加えて、これらの花弁または群葉を支え、さらに細部を加え、また、ステップ７０において、個々の断片を組み合わせて、花または群葉を作り出す。
【００４０】
図３に示されるように、群葉の上面と下面をスキャンしてプリントするが、本発明の精神を損なわない限り、この群葉のただ１つの面（例えば、その上面）を使用することもできる。
【００４１】
本発明の方法を特徴づける新規性の様々な特徴が、いくつかの好ましい実施形態に関して述べられてきたが、本明細書中の開示内容の点から見て、他の実施形態も、通常の当業者には明らかになるであろう。よって、本発明は、上記の好ましい実施形態の記述により制限されることはないが、その代わり、併記の特許請求の範囲を参照することによってのみ定義されるよう意図される。
【図面の簡単な説明】
【００４２】
【図１】人工の群葉を作る従来技術の方法の流れ図である。
【図２】本発明のフローラル・プリント法の流れ図である。
【図３】人工の群葉を作る本発明の方法の流れ図である。
【図１】
2010503554.tif 000003
【図２】
2010503554.tif 000004
【図３】
2010503554.tif 000005
【国際調査報告】
2010503554.tif 000006
2010503554.tif 000007